(57)【要約】【課題】画像情報を１頁分印刷する必要や、ファクス送信方法に特別な合意を得る必要なく、ファクシミリデータの受信許否をファクシミリデータ受信開始時から早期に判断可能にする。【解決手段】複合機１は、ファクシミリ通信部１４０と、受信許否判定部１０２と、判定設定部１０３と、制御部１０１とを備える。受信許否判定部１０２は、ファクシミリデータが受信開始されたとき、判定設定部１０３により判定を行わせる設定がされている場合に当該ファクシミリデータの受信継続の許否の判定を行う。制御部１０１は、受信許否判定部１０２によって受信継続が不許可と判定された場合にはファクシミリ通信部１４０に、ファクシミリデータ受信を中止させ、受信継続を許可と判定された場合及び判定が行われない場合には、当該ファクシミリデータの受信を継続させる。【選択図】図４
2015207845.tif 000002
【特許請求の範囲】
【請求項１】
他のファクシミリ装置からファクシミリデータを送受信するファクシミリ通信部と、
前記ファクシミリ通信部により着信が検出されたファクシミリデータの受信継続を許可するか否かを判定する受信許否判定部と、
前記受信許否判定部による前記判定を行わせるか否かの設定をユーザーからの指示に基づいて設定する判定設定部と、
前記受信許否判定部によって、前記受信継続が不許可と判定された場合には前記ファクシミリ通信部に前記受信を中止させ、前記受信継続を許可と判定された場合及び前記判定が行われない場合には、前記ファクシミリ通信部に前記受信を継続させる制御部とを備え、
前記受信許否判定部は、前記ファクシミリ通信部に他のファクシミリ装置からファクシミリデータが受信されたとき、前記判定設定部により前記判定を行わせる設定がされている場合に前記判定を行い、前記判定設定部により前記判定を行わせる設定がされていない場合には前記判定を行わないファクシミリ装置。
【請求項２】
前記ファクシミリ通信部によるファクシミリデータ送信の送信相手先を記憶する送信相手先記憶部を更に備え、
前記受信許否判定部は、前記判定設定部により前記判定を行わせる設定がされているとき、前記受信されたファクシミリデータを送信してきた送信相手先が前記送信相手先記憶部に記憶されていない場合に前記受信継続を不許可と判定し、当該送信相手先が前記送信相手先記憶部に記憶されている場合には前記受信継続を許可と判定する請求項１に記載のファクシミリ装置。
【請求項３】
前記受信されたファクシミリデータの解像度を検出する解像度検出部を更に備え、
前記受信許否判定部は、前記受信されたファクシミリデータの送信相手先が前記送信相手先記憶部に記憶されていない場合であって、更に、前記解像度検出部によって検出された当該ファクシミリデータの解像度が予め定められた値以上である場合に前記受信継続を不許可と判定し、当該解像度が前記予め定められた値よりも小さい場合には前記受信継続を許可と判定する請求項２に記載のファクシミリ装置。
【請求項４】
前記受信許否判定部は、前記受信されたファクシミリデータを復号化した予め定められた数のバンド分のデータ量が、予め定められたデータ量以上である場合に前記受信継続を不許可と判定し、当該データ量が前記予め定められたデータ量よりも小さい場合には前記受信継続を許可と判定する請求項２に記載のファクシミリ装置。
【請求項５】
前記送信相手先記憶部に記憶されている送信相手先からのファクシミリデータを前記ファクシミリ通信部が受信したときに発生したエラー時から予め定められた経過時間内であるときに、前記送信相手先記憶部に記憶されていない送信相手先からのファクシミリデータを更に受信した場合、前記受信許否判定部は、当該記憶されていない送信相手先からのファクシミリデータの前記受信継続を不許可と判定し、前記予め定められた経過時間経過後である場合には当該受信継続を許可と判定する請求項２に記載のファクシミリ装置。
【請求項６】
前記受信された前記送信相手先記憶部に記憶されていない送信相手先からのファクシミリデータの一部を用いてプレビュー画像を作成するプレビュー画像作成部と、
前記プレビュー画像を表示する表示部と、
ユーザーからの操作指示を受け付ける操作指示受付部とを更に備え、
前記制御部が、前記プレビュー画像作成部により作成されたプレビュー画像を前記表示部に表示させたときに、当該ファクシミリデータの受信継続を許可する許可指示が前記操作指示受付部に受け付けられると、前記受信許否判定部は当該ファクシミリデータの前記受信継続を許可と判定し、当該許可指示が前記操作指示受付部に受け付けられなければ、前記受信許否判定部は当該ファクシミリデータの前記受信継続を不許可と判定する請求項２に記載のファクシミリ装置。
【請求項７】
前記ファクシミリ通信部は、前記送信相手先記憶部に記憶されていない送信相手先からのファクシミリデータを予め定められたデータ量受信したときは、ファクシミリデータ送信を待機させる信号を、当該送信相手先に対して送信する請求項６に記載のファクシミリ装置。
【請求項８】
前記ファクシミリ通信部は、前記プレビュー画像の表示時から予め定められた時間が経過しても、前記操作指示受付部に前記許可指示が受け付けられない場合には、ファクシミリデータ送信を再開させる信号を、当該送信相手先に対して送信する請求項７に記載のファクシミリ装置。
【発明の詳細な説明】
【技術分野】
【０００１】
本発明は、ファクシミリ装置に関し、特に、他のファクシミリ装置からファクシミリデータを受信する際の制御に関する。
【背景技術】
【０００２】
ファクシミリデータを他のファクシミリ装置から受信を開始したときに、ユーザーにとっての当該ファクシミリデータの要不要に応じて、ファクシミリ受信を中止することが可能なファクシミリ装置が提案されている。例えば、下記特許文献１には、受信を開始したファクシミリデータの１頁分の画像を印刷し、この印刷結果を見たユーザーから、データ受信を拒否する指示があったときに、当該ファクシミリデータの受信を中止するファクシミリ装置が示されている。また、特許文献２には、受信したファクシミリデータのうち一部を復号化したものを特定のパターン画像と比較し、この特定のパターンと一致しない場合には、データ受信を中止するファクシミリ装置が示されている。
【先行技術文献】
【特許文献】
【０００３】
【特許文献１】特開平５−３０３１８号公報
【特許文献２】特許第３３９４２８５号公報
【発明の概要】
【発明が解決しようとする課題】
【０００４】
しかしながら、上記特許文献１に示されるファクシミリ装置では、ファクシミリデータの受信を中止するか否かのユーザーによる判定は、少なくとも１頁分の画像を印刷しなければできないため、例えば１頁分のみのファクシミリデータが送信されてくるファクス送信の場合、通信の対象となるファクシミリデータを結局全て受信することになり、このファクシミリデータの受信継続を中止させるといったことができない。また、上記特許文献２に示されるファクシミリ装置の場合、上記のようにデータ受信を続行又は停止させる制御を行うには、送信側のファクシミリ装置が、ファクス送信の対象とする画像の中に上記特定のパターンを含ませる必要があるため、当該データ受信続行及び停止の制御は、当該受信停止制御を伴うファクス送信を行うことに合意が得られた両者間でしか用いることができない。
【０００５】
本発明は、上記の問題を解決するためになされたもので、画像情報を１頁分印刷する必要や、ファクス送信方法に特別な合意を得る必要なく、ファクシミリデータの受信許否をファクシミリデータ受信開始時から早期に判断可能にすることを目的とする。
【課題を解決するための手段】
【０００６】
本発明の一局面に係るファクシミリ装置は、他のファクシミリ装置からファクシミリデータを送受信するファクシミリ通信部と、
前記ファクシミリ通信部により着信が検出されたファクシミリデータの受信継続を許可するか否かを判定する受信許否判定部と、
前記受信許否判定部による前記判定を行わせるか否かの設定をユーザーからの指示に基づいて設定する判定設定部と、
前記受信許否判定部によって、前記受信継続が不許可と判定された場合には前記ファクシミリ通信部に前記受信を中止させ、前記受信継続を許可と判定された場合及び前記判定が行われない場合には、前記ファクシミリ通信部に前記受信を継続させる制御部とを備え、
前記受信許否判定部は、前記ファクシミリ通信部に他のファクシミリ装置からファクシミリデータが受信されたとき、前記判定設定部により前記判定を行わせる設定がされている場合に前記判定を行い、前記判定設定部により前記判定を行わせる設定がされていない場合には前記判定を行わないものである。
【発明の効果】
【０００７】
本発明に係るファクシミリ装置によれば、画像情報を１頁分印刷する必要や、ファクス送信方法に特別な合意を得る必要なく、ファクシミリデータの受信許否をファクシミリデータ受信開始時から早期に判断できる。
【図面の簡単な説明】
【０００８】
【図１】本発明の一実施形態に係るファクシミリ装置としての画像形成装置の外観を示す斜視図ある。
【図２】本発明の実施形態に係るファクシミリ装置としての複合機の内部構成の概略を示すブロック図である。
【図３】複合機とファクス送信の相手先となるファクシミリ装置とのファクス通信処理を示す図である。
【図４】ファクシミリデータの受信側ファクシミリ装置としての複合機が行うファクシミリデータ受信処理を示すフローチャートである。
【図５】操作部及び表示部部分を示す図である。
【図６】表示部の表示画面の一例を示す図である。
【図７】表示部の表示画面の一例を示す図である。
【図８】表示部の表示画面の一例を示す図である。
【発明を実施するための形態】
【０００９】
以下、本発明の一実施形態に係るファクシミリ装置について図面を参照して説明する。図１は本発明の一実施形態に係るファクシミリ装置としての画像形成装置の外観を示す斜視図ある。本発明の一実施形態に係るファクシミリ装置としての画像形成装置は、例えば、複合機１である。図１に示すように、複合機１は、筐体からなる装置本体１０を備える。
【００１０】
装置本体１０は、下ハウジング３と、その上部に設けられた上ハウジング４と、これら両ハウジングを連結する連結ハウジング８とを備える。下ハウジング３と上ハウジング４との中間部には、側方から略水平方向に内側に入り込んだ用紙スタック部５が形成されている。また、上ハウジング４の前面には、操作部４７が設けられている。用紙スタック部５には、下ハウジング３から排出される用紙が積載されるシートトレイ６が設けられている。
【００１１】
上ハウジング４は、内部にフラットベッドを有して当該フラットベッド上の原稿をスキャナー部等により読み取る画像読取部２を有している。下ハウジング３は、用紙上にトナー画像を形成する感光体ドラム、露光部及び現像部と、用紙上のトナー画像を定着するための定着部といった画像形成部１３０（図２）を内蔵している。下ハウジング３には、更に、記録紙を貯留する給紙カセット７が設けられている。なお、この実施形態では、給紙カセット７が２つ備えられた例を示しているが、給紙カセットの数は特に限定されない。連結ハウジング８には、画像形成行程における定着後の記録紙を搬送してシートトレイ６に排出するための用紙搬送路を内蔵している。
【００１２】
複合機１では、画像読取部２により読み取られた原稿画像を、下ハウジング３に内蔵された上記画像形成機構により、給紙カセット７のいずれかから給紙される記録紙上に画像形成し、当該画像形成後の記録紙は、連結ハウジング８内の用紙搬送路からシートトレイ６に排出される。
【００１３】
次に、本発明の実施形態に係るファクシミリ装置としての複合機１が有する構成を説明する。図２は、本発明の実施形態に係るファクシミリ装置としての複合機１の内部構成の概略を示すブロック図である。
【００１４】
本発明の実施形態に係る複合機１は、制御ユニット１００と、画像読取部２と、メモリー１２０と、画像形成部１３０と、ファクシミリ通信部１４０とを有する。
【００１５】
画像読取部２は、原稿を読み取って原稿画像を取得するスキャナー等を備える。画像読取部２は、例えば、原稿載置台、当該原稿載置台から搬送される原稿の画像を読み取るスキャナー、及び読取済の原稿を排出する排出機構を有するＡＤＦ（Auto Document Feeder）である。画像読取部２は、ファクス送信の対象とされる原稿を１枚ずつ読み取り、ファクス送信の対象とするデータを生成する。
【００１６】
メモリー１２０は、画像読取部２によって読み取られた原稿のデータ、ファクシミリ通信部１４０又は通信インターフェイス１６０により取得されたファクシミリ送信の対象となるデータ等、画像形成部１３０の画像形成（印刷）の対象となるデータを一時的に保存する領域である。なお、メモリー１２０の一部領域は、ファクシミリ通信部１４０によるファクシミリデータ送信の送信相手先を記憶する送信相手先記憶部としてのアドレス帳１２０１として用いられる。
【００１７】
画像形成部１３０は、画像読取部２によって読み取られた原稿のデータや、ファクシミリ通信部１４０又は通信インターフェイス１６０により取得されたデータ等であって、メモリー１２０に記憶されているデータを読み出し、当該データを用いて画像形成（印刷）を行う。
【００１８】
ファクシミリ通信部（ファクシミリデータ受信部）１４０は、ファクシミリ通信に必要な諸機能を実行し、公衆回線を通じて、外部のファクシミリ装置との間で画像データを送受信する。
【００１９】
制御ユニット１００は、ＣＰＵ、ＲＯＭ及びＲＡＭ等からなり、複合機１の全体的な動作を司る。制御ユニット１００は、制御部１０１と、受信許否判定部１０２と、判定設定部１０３と、解像度検出部１０４と、プレビュー画像作成部１０５と、操作指示受付部１０６とを備えている。
【００２０】
なお、ＨＤＤ１７０又は図略のＲＯＭに、複合機１のファクス通信プログラムが記憶されており、制御ユニット１００は、当該ファクス通信プログラムに従って動作することにより、制御部１０１と、受信許否判定部１０２と、判定設定部１０３と、解像度検出部１０４と、プレビュー画像作成部１０５と、操作指示受付部１０６として機能し、これら各部を備える。
【００２１】
但し、制御部１０１（ファクスジョブ管理に関する機能についての制御部１０１）、受信許否判定部１０２、判定設定部１０３、解像度検出部１０４、プレビュー画像作成部１０５、及び操作指示受付部１０６とは、当該ファクス通信プログラムに基づく動作によらず、それぞれハード回路により構成されるものとしてもよい。以下、特に触れない限り、各実施形態について同様である。
【００２２】
また、上記制御部１０１〜操作指示受付部１０６の各部は、後述する実施形態において示す各処理に必要となる限りにおいて、本発明の実施形態としての複合機１の構成要素となる。
【００２３】
制御部１０１は、複合機１の全体的な動作を司る。
【００２４】
例えば、制御部１０１は、ファクス送信用に画像読取部２により読み取られてメモリー１２０に一時的に記憶されている各頁の原稿のデータを頁順に読み出して、ファクシミリ通信部１４０に、ユーザーによる操作部４７の操作で指定された送信相手先のファクシミリ装置に向けてファクス送信させる。
【００２５】
また、制御部１０１は、ファクシミリ通信部１４０により受信されてメモリー１２０に一時的に記憶されているファクシミリデータを頁順に読み出して、画像形成部１３０に画像形成（印刷）させる。
【００２６】
受信許否判定部１０２は、ファクシミリ通信部１４０により着信が検出されたファクシミリデータの受信継続を許可するか否かを判定する。
【００２７】
判定設定部１０３は、受信許否判定部１０２による上記判定を行わせるか否かをユーザーからの指示に従って設定する。例えば、ユーザーが操作部４７を操作して、ファクシミリ通信部１４０により着信が検出されたファクシミリデータの受信継続を許可するか否かの指示が入力されると、当該受信継続許可指示又は受信継続不許可指示のいずれかに従って、判定設定部１０３が、受信許否判定部１０２による上記判定を行わせるか否かを設定する。
【００２８】
すなわち、受信許否判定部１０２は、ファクシミリ通信部１４０に他のファクシミリ装置からファクシミリデータが受信されたとき、判定設定部１０３により上記判定を行わせる設定がされている場合に上記判定を行い、判定設定部１０３により上記判定を行わせる設定がされていない場合には上記判定を行わない。
【００２９】
上記の制御部１０１は、受信許否判定部１０２によって、ファクシミリ通信部１４０により着信が検出されたファクシミリデータの受信継続が不許可と判定された場合にはファクシミリ通信部１４０に当該受信を中止させる。また、制御部１０１は、受信許否判定部１０２により当該受信継続が許可と判定された場合及び判定が行われない場合には、ファクシミリ通信部１４０に当該受信を継続させる。
【００３０】
解像度検出部１０４は、ファクシミリ通信部１４０により受信されたファクシミリデータが示す画像を解析し、当該画像の解像度を検出する。受信許否判定部１０２は、当該受信されたファクシミリデータの送信相手先がアドレス帳１２０１に記憶されていない場合であって、更に、解像度検出部１０４によって検出された当該ファクシミリデータの解像度が予め定められた値（例えば、スーパーファイン400（ｄｐｉ）×200（ｄｐｉ））以上である場合に当該ファクシミリデータの受信継続を不許可と判定し、当該解像度が上記予め定められた値よりも低い場合には当該受信継続を許可と判定する。
【００３１】
プレビュー画像作成部１０５は、ファクシミリ通信部１４０により受信されたアドレス帳１２０１に記憶されていない送信相手先からのファクシミリデータの一部を用いてプレビュー画像を作成する。このプレビュー画像は、制御部１０１による制御の下、表示部１５０に表示される。上記の制御部１０１がプレビュー画像作成部１０５により作成されたプレビュー画像を表示部１５０に表示させたときに当該プレビュー画像の基となるファクシミリデータの受信継続を許可する許可指示が操作指示受付部１０６に受け付けられると、受信許否判定部１０２は、当該ファクシミリデータの受信継続を許可と判定し、当該許可指示が操作指示受付部１０６に受け付けられなければ、受信許否判定部１０２は当該ファクシミリデータの受信継続を不許可と判定する。
【００３２】
表示部１５０は、ユーザーへの操作案内等を表示するＬＣＤ（Liquid Crystal Display）等からなる。なお、この表示部１５０がタッチパネル機能を備えることにより、操作部４７としてユーザーからの各種操作指示を受け付けるようにしてもよい。
【００３３】
さらに、複合機１は、画像読取部２が読み取った画像の編集及び加工処理等を行う画像処理部１９０と、ネットワーク接続された他のパーソナルコンピューターやサーバーとの間で各種データの通信を行うための通信インターフェイス１６０とを有している。
【００３４】
次に、複合機１とファクス送信の相手先となるファクシミリ装置とのファクス通信処理を説明する。図３は、複合機１とファクス送信の相手先となるファクシミリ装置とのファクス通信処理を示す図である。
【００３５】
送信側としての複合機１はそのファクシミリ通信部１４０が（以下、当該ファクス通信処理の説明において単に複合機１という）、ユーザーによる操作部４７の操作で入力されるファクス送信指示（すなわち、ファクス送信ジョブ）に基づくダイヤリングにより発呼し、ＣＮＧ信号を送信して、相手先のファクシミリ装置に対して、複合機１がファクシミリ通信を行うファクシミリ装置であることを通知する（♯１）。
【００３６】
相手先のファクシミリ装置はそのファクシミリ通信部が（以下、当該ファクス通信処理の説明において単に相手先ファクシミリ装置という）が、受信側として上記ＣＮＧ信号を受信すると、当該相手先ファクシミリ装置はこれに対する応答信号としてのＣＥＤ信号と、受信側の装置機能（ＣＣＩＴＴ仕様等）を知らせるＤＩＳ信号とを複合機１に送り返す（♯２）。
【００３７】
ＣＥＤ信号及びＤＩＳ信号を相手先ファクシミリ装置から受信した複合機１（発呼側）は、当該複合機１のセットアップデータ（ＣＣＩＴＴ仕様等）を知らせるＤＣＳ信号と、モデムトレーニング用のＴＣＦ信号とを、相手先ファクシミリ装置に対して送出する（♯３）。
【００３８】
上記ＤＣＳ信号及びＴＣＦ信号を受信した相手先ファクシミリ装置は、受信成功を示すＣＦＲ信号を複合機１に返信する（♯４）。
【００３９】
送信側としての複合機１が当該ＣＦＲ信号を受信すると、当該ファクス送信ジョブでファクス送信対象とする第１頁目のデータ（ＰＩＸ）を、相手先ファクシミリ装置に対して送信する（♯５）。さらに、複合機１は、ファクス送信の対象とする他頁のデータが存在する場合は、他頁のデータが存在することを示すＭＰＳ信号を相手先ファクシミリ装置に送信する。
【００４０】
受信側としての相手先ファクシミリ装置では、受信した第１頁目のデータ（ＰＩＸ）を画像メモリーに一時的に記憶させる。そして、相手先ファクシミリ装置は、第１頁目のデータを正しく受信したことを示すＭＣＦ信号を複合機１に対して返信する（♯６）。なお、受信側としての相手先ファクシミリ装置は、当該ファクシミリ送信を一実施形態停止させる場合、ＭＣＦ信号に代えて、ビジー状態である旨を示すＲＮＲ信号を複合機１に送信する。受信側としての相手先ファクシミリ装置は、ＲＮＲ信号送信後、ビジー状態解消後又は後続のデータの受信を受け入れるときに、ＭＣＦ信号を複合機１に送信する。
【００４１】
複合機１は、相手先ファクシミリ装置からＭＣＦ信号を受信すると、ファクス送信の対象とする次頁のデータがある限り次頁のデータ（ＰＩＸ）及びＭＰＳ信号を相手先ファクシミリ装置に送信する。この場合、相手先ファクシミリ装置では、受信した頁のデータ（ＰＩＸ）を画像メモリーに一時的に記憶させてＭＣＦ信号を複合機１に返信する♯６の処理を繰り返す。以降、複合機１がファクス送信の対象とする全頁のデータを相手先ファクシミリ装置に送信完了するまで、♯５及び♯６の処理が繰り返される。
【００４２】
そして、複合機１が、ファクス送信の対象とする最終頁のデータ（ＰＩＸ）を相手先ファクシミリ装置に送信したときは、データ送信を終了することを示すＥＯＰ信号を相手先ファクシミリ装置に送信する（♯７）。相手先ファクシミリ装置は、上記最終頁のデータを受信したことを示すＭＣＦ信号を複合機１に返信する（♯８）。
【００４３】
複合機１は、ＥＯＰ信号を送信した後に、相手先ファクシミリ装置から上記ＭＣＦ信号を受信すると、相手先ファクシミリ装置にＤＣＮ信号を送信して回線を遮断する（♯９）。
【００４４】
次に、ファクシミリデータを受信する側のファクシミリ装置として、複合機１が行うファクシミリデータ受信処理を説明する。図４は、ファクシミリデータの受信側ファクシミリ装置としての複合機１が行うファクシミリデータ受信処理を示すフローチャートである。
【００４５】
複合機１のファクシミリ通信部１４０が他のファクシミリ装置からファクシミリデータの送信があり着信が検出されると（Ｓ１でＹＥＳ）、受信許否判定部１０２は、判定設定部１０３により、当該着信が検出されて開始されたファクシミリデータの受信の継続を許可するか否かを判定させるか否かいずれの設定とされているかを判断する（Ｓ２）。
【００４６】
ここで、受信許否判定部１０２は、判定設定部１０３により上記判定を行わせる設定がされていないと判断した場合には（Ｓ２でＮＯ）、上記判定を行わない。この場合、制御部１０１は、ファクシミリ通信部１４０に、送信側ファクシミリ装置から送信されてくるファクシミリデータをそのまま引き続き受信させる（Ｓ１５）。
【００４７】
一方、受信許否判定部１０２が、判定設定部１０３により上記判定を行わせる設定がされていると判断した場合には（Ｓ２でＹＥＳ）、上記判定として、図４に示すＳ３〜Ｓ１４の各処理が行われる。
【００４８】
Ｓ３では、受信許否判定部１０２は、当該ファクシミリデータを送信してきた送信相手先としての送信側ファクシミリ装置を示すファクス番号がアドレス帳１２０１に記憶されているか否かを判断する（Ｓ３）。
【００４９】
ここで、受信許否判定部１０２が、当該送信相手先のファクス番号がアドレス帳１２０１に記憶されていると判断した場合は（Ｓ３でＹＥＳ）、通信エラーが生じていない限り、すなわち生じていなければ（Ｓ１６でＮＯ）、制御部１０１は、ファクシミリ通信部１４０に、送信側ファクシミリ装置から送信されてくるファクシミリデータを引き続き受信させる（Ｓ１５）。
【００５０】
また、受信許否判定部１０２が、通信エラーが生じていると判断した場合は（Ｓ１６でＹＥＳ）、受信許否判定部１０２は、この後に他のファクシミリ装置から送信されてくるファクシミリデータの受信を許可するか否かの判断に用いる予め定められた経過時間ｔ１をタイマーにより計測開始させる（Ｓ１７）。なお、このタイマーは、例えば制御ユニット１００に内蔵されている。また、受信許否判定部１０２は、タイマーにより計測されている従前の経過時間ｔ１をリセットしてから、Ｓ１７での新たな経過時間ｔ１の計測をタイマーにより開始させる。当該タイマーセット後、制御部１０１は、ファクシミリ通信部により送信側ファクシミリ装置との間で確立しているファクス通信を遮断して（Ｓ１８）、この後、処理は終了する。
【００５１】
一方、Ｓ３において、受信許否判定部１０２が、当該送信相手先のファクス番号がアドレス帳１２０１に記憶されていないと判断した場合は（Ｓ３でＮＯ）、当該受信されたファクシミリデータが示す画像の解像度を解像度検出部１０４が検出する（Ｓ４）。そして、受信許否判定部１０２は、当該ファクシミリデータについて検出された解像度が予め定められた値（例えば、スーパーファイン400（ｄｐｉ）×200（ｄｐｉ））以上であるか否かを判断する（Ｓ５）。
【００５２】
受信許否判定部１０２が、当該ファクシミリデータの解像度が上記予め定められた値より小さいと判断した場合は（Ｓ５でＮＯ）、受信許否判定部１０２は、当該ファクシミリデータの受信継続を許可する。制御部１０１は、ファクシミリ通信部１４０に、送信側ファクシミリ装置から送信されてくる当該ファクシミリデータを引き続き受信させる（Ｓ１５）。当該解像度の小さいファクシミリデータは、受信に比較的時間を要しないものであるため、受信するようにする。また、これにより、写真や画像の多い広告である可能性の高いファクシミリデータを受信しないようにすることが可能である。
【００５３】
また、受信許否判定部１０２は、当該ファクシミリデータの解像度が上記予め定められた値以上であると判断した場合（Ｓ５でＹＥＳ）、引き続いて、当該受信されたファクシミリデータを復号化した予め定められた数（例えば１バンド）のバンド分のデータ量が、予め定められたデータ量（例えば、５０ＫＢ）以上であるかを判断する（Ｓ６）。
【００５４】
ここで、受信許否判定部１０２が、当該バンド分のデータ量が予め定められたデータ量よりも小さいと判断した場合は（Ｓ６でＮＯ）、制御部１０１は、ファクシミリ通信部１４０に、送信側ファクシミリ装置から送信されてくる当該ファクシミリデータを引き続き受信させる（Ｓ１５）。このように予め定められた数のバンド分のデータ量が小さい場合は、受信に比較的時間を要しないファクシミリデータと想定されるため、受信するようにする。
【００５５】
一方、受信許否判定部１０２は、当該バンド分のデータ量が予め定められたデータ量以上であると判断した場合（Ｓ６でＹＥＳ）、引き続いて、以下の判断を行う（Ｓ７）。すなわち、当該ファクシミリデータ受信よりも前に受信された従前の他のファクシミリデータについて、当該従前のファクシミリデータの受信時にエラーが発生した状態となっており、当該エラー発生時からの経過時間ｔ１が予め定められた経過時間Ｔ１（例えば、１２０秒）に達しているかを上記タイマーによる時間計測に基づいて、受信許否判定部１０２が判断する。
【００５６】
受信許否判定部１０２が、当該エラー発生時からの経過時間ｔ１が経過時間Ｔ１に達していると判断した場合は（Ｓ７でＹＥＳ）、制御部１０１は、ファクシミリ通信部１４０に、送信側ファクシミリ装置から送信されてくる当該ファクシミリデータを引き続き受信させる（Ｓ１５）。経過時間Ｔ１が経過していれば、従前のファクシミリデータを送信してきたファクシミリ装置がリトライにより再度ファクシミリデータを送信してくる可能性が低いため、新たに送信されてくる当該別のファクシミリデータを受信させる。
【００５７】
また、受信許否判定部１０２が、当該エラー発生時からの経過時間ｔ１が経過時間Ｔ１に達していないと判断した場合（Ｓ７でＮＯ）、続いて、プレビュー画像作成部１０５が、ファクシミリ通信部１４０により受信されたファクシミリデータが、プレビュー画像の作成に用いるために必要な予め定められたデータ量に達したか、例えば、予め定められた画像ライン数（画像読取部２のスキャナーにより読み取られたライン数）に達したかを判断し（Ｓ８）、当該受信されたファクシミリデータが予め定められた画像ライン数に達するまで待機する（Ｓ８でＮＯ）。
【００５８】
プレビュー画像作成部１０５は、当該受信されたファクシミリデータが予め定められた画像ライン数に達したと判断した場合（Ｓ８でＹＥＳ）、上記予め定められた画像ライン数のデータを用いてプレビュー画像を作成する（Ｓ９）。制御部１０１は、当該プレビュー画像を、ユーザーに対して、当該ファクシミリデータ受信を継続させるか否かの指示の入力を促すメッセージと共に、表示部１５０に表示させる（Ｓ１０）。
【００５９】
続いて、受信許否判定部１０２は、上記タイマーにより、予め定められた待機時間ｔ２（例えば、６０秒）を更に計測させる（Ｓ１１）。このタイマーによる待機時間ｔ２の計測は、上記表示部１５０におけるプレビュー画像の表示時から開始される。なお、受信許否判定部１０２は、タイマーにより計測されている従前の待機時間ｔ２をリセットしてから、Ｓ１１での新たな待機時間ｔ２の計測をタイマーにより開始させる。
【００６０】
この後、受信許否判定部１０２が、タイマーにより待機時間ｔ２の経過が計測されるまでに（Ｓ１２でＮＯ）、ユーザーが操作部４７を操作して、当該受信されたファクシミリデータ（表示部１５０に表示されている上記プレビュー画像の基となるファクシミリデータ）の受信継続を許可するか否かの指示が操作指示受付部１０６に受け付けられ（Ｓ１３でＹＥＳ）、当該指示が当該ファクシミリデータの受信継続を許可する許可指示であると判断した場合（Ｓ１４でＹＥＳ）、制御部１０１は、ファクシミリ通信部１４０に、送信側ファクシミリ装置から送信されてくる当該ファクシミリデータを引き続き受信させる（Ｓ１５）。
【００６１】
なお、受信許否判定部１０２が、操作指示受付部１０６に受け付けられた指示が当該ファクシミリデータの受信継続を許可しない不許可指示であると判断した場合（Ｓ１３でＹＥＳ，Ｓ１４でＮＯ）、制御部１０１は、ファクシミリ通信部１４０に、送信側ファクシミリ装置から送信されてくる当該ファクシミリデータの受信を中止させ（Ｓ１９）、送信側ファクシミリ装置との間で確立しているファクス通信の回線を遮断する（Ｓ２０）。
【００６２】
一方、上記待機時間ｔ２内に、操作指示受付部１０６に上記許可指示及び不許可指示のいずれも受け付けられなかった場合は（Ｓ１３でＮＯ，Ｓ１２でＹＥＳ）、制御部１０１は、ファクシミリ通信部１４０に、送信側ファクシミリ装置から送信されてくる当該ファクシミリデータの受信を中止させ（Ｓ１９）、送信側ファクシミリ装置との間で確立しているファクス通信の回線を遮断する（Ｓ２０）。
【００６３】
ここで、判定設定部１０３による上記設定について説明する。図５は操作部４７及び表示部１５０部分を示す図、図６乃至図８は表示部１５０の表示画面の一例を示す図である。
【００６４】
図５に示す表示部１５０に表示されている初期表示画面Ｄ１内のシステムメニューボタンＢ１にユーザーが接触すると、複合機１が備えるいずれかの機能の設定を変更する指示がタッチパネル機能により操作部４７にユーザーから受け付けられ、制御部１０１は、図６に示すシステムメニュー画面Ｄ２を表示部１５０に表示させる。
【００６５】
続いて、ユーザーが、所望の機能、ここでは、ファクス機能に対応する機能ボタンＢ２に接触すると、タッチパネル機能によりファクス機能について設定を変更する指示が、タッチパネル機能により操作部４７にユーザーから受け付けられ、制御部１０１は、図７に示すファクス設定変更画面Ｄ３を表示部１５０に表示させる。
【００６６】
続いて、ユーザーが、ファクス設定変更画面Ｄ３内における、設定を変更したい項目、ここでは、受信画像チェックモードに対応する「受信画像チェックモード」ボタンＢ３に接触すると、タッチパネル機能により、受信許否判定部１０２が上記判定に用いる各種値を変更する指示が、タッチパネル機能により操作部４７にユーザーから受け付けられ、制御部１０１は、図８に示す値変更画面Ｄ４を表示部１５０に表示させる。
【００６７】
この値変更画面Ｄ４の表示時に、ユーザーが、値を変更したい項目を示す画像部分に接触すると、その項目について、例えばプルダウン表示により入力候補とされる内容や値が例えばリスト表示され、ユーザーが所望の内容や値部分に接触すると、タッチパネル機能により、表示中の内容や値が操作部４７に受け付けられ、受信許否判定部１０２は、当該接触した部分に対応する、上記判定に用いる解像度の値、通信エラー発生時に用いられる上記経過時間ｔ１、予め定められた数のバンド分のデータ量についての上記予め定められたデータ量、又はユーザーからの受信許否を示す信号の待機時間ｔ２の内容又は値を受け付けて、受け付けた内容の値を、上記判定に用いるデータとして記憶する。
【００６８】
上記に示したファクシミリデータの受信処理では、受信許否判定部１０２は、複合機１において受信されたファクシミリデータの受信継続を中止する条件を、(1)送信相手先のファクス番号がアドレス帳１２０１に記憶されていないこと、(2)当該受信されたファクシミリデータについて検出された解像度が上記予め定められた値以上であること、及び(3)当該受信されたファクシミリデータを復号化した予め定められた数のバンド分のデータ量が予め定められたデータ量以上であること、の全てを満たし、かつ、(4)上記待機時間ｔ２内に当該ファクシミリデータの受信継続許否を示す指示がないこと、又は(5)上記待機時間ｔ２内に当該ファクシミリデータの受信継続の許否を示す不許可指示があること、のいずれかを満たせば、ファクシミリデータの受信継続が中止されるので、ユーザーにとって不要である蓋然性が高いファクシミリデータを的確に絞って、不要である蓋然性が高いファクシミリデータのみについて受信継続を中止することが可能になる。
【００６９】
また、上記(1)(2)(3)(4)(5)の判断は、受信が開始されたファクシミリデータを例えば１頁分受信していない状況でも行うことが可能なので、データ量の少ないファクシミリデータ、例えば、１頁分のみのファクシミリデータの受信について、当該受信が開始されてから早期の段階で、当該ファクシミリデータの受信継続を中止することが可能になる。
【００７０】
また、上記(1)(2)(3)(4)(5)の判断は、受信側となるファクシミリ装置として複合機１における処理のみで可能なので、送信側ファクシミリ装置の特別な通信制御やデータ送信に関する取り決めを求める必要がない。例えば、ファクシミリデータの要不要を判断するために、送信側のファクシミリ装置に対して、特別な画像をファクシミリデータに含ませる等の特別なファクス送信方法に合意を得る必要がない。
【００７１】
このため、本実施形態によれば、画像情報を１頁分印刷する必要や、ファクス送信方法に特別な合意を得る必要なく、ファクシミリデータの受信許否を判断できる。
【００７２】
なお、上記では、受信許否判定部１０２は、複合機１において受信されたファクシミリデータの受信継続を中止する条件を上記(1)(2)及び(3)の全てを満たし、かつ、(4)又は(5)のいずれかを満たすこととしているが、受信が開始されたファクシミリデータの受信継続を中止する条件はこれに限定されない。
【００７３】
例えば、受信許否判定部１０２は、受信が開始されたファクシミリデータの受信継続を中止する条件を、判定設定部１０３により上記判定を行わせる設定がされているときに、上記(1)さえ満たせば(2)(3)(4)(5)はいずれかのみを満たせばよいこととしてもよいし、さらには、上記(1)(2)(3)(4)(5)のいずれかのみを満たすこととしてもよい。なお、これらの場合、図２に示す制御ユニット１００内の制御部１０１〜操作指示受付部１０６の各部は、当該(1)(2)(3)(4)(5)の判断を行うために必要となるもののみが、複合機１により上記ファクシミリデータ受信処理を行うために必要な構成要素となる。
【００７４】
また、上記実施形態は種々の変形が可能である。例えば、図４に示したＳ１２において、受信許否判定部１０２が、ユーザーからの受信継続を許可するか否かの指示の入力を待機しており、当該指示が操作指示受付部１０６に受け付けられるまでの間に、ファクシミリ通信部１４０が、アドレス帳１２０１に記憶されていない送信相手先からのファクシミリデータを予め定められたデータ量（例えば、１頁分の画像データ）受信したときは、ファクシミリデータ送信を待機させる信号（例えば、上記ＲＮＲ信号）を、ファクシミリ通信部１４０が当該送信相手先のファクシミリ装置に対して送信し、以降のファクシミリデータの送信を一時停止させるようにしてもよい。これにより、ユーザーによる要不要を判断していないファクシミリデータの受信が継続して、複合機１に記憶されていく事態を避けることができる。
【００７５】
この場合は、さらに、ファクシミリ通信部１４０が送信相手先のファクシミリ装置からファクシミリデータが表示部１５０における上記プレビュー画像の表示時から予め定められた待機時間ｔ２が経過しても、操作指示受付部１０６にユーザーからの上記許可指示又は不許可指示のいずれもが受け付けられない場合には、ファクシミリデータ送信を再開させる信号を、当該送信相手先のファクシミリ装置に対して送信するようにしてもよい。これにより、プレビュー画像作成部１０５により、続いて受信されるファクシミリデータを更に用いてプレビュー画像を作成することが可能になり、当該新たに作成されたプレビュー画像が表示部４７３されることで、受信許否判定部１０２は、当該新たに作成されたプレビュー画像を視認したユーザーからの上記受信許可信号又は受信不許可信号に基づいて、ファクシミリデータ受信の許否を判定することが可能になる。
【００７６】
また、本発明は上記実施の形態の構成に限られず種々の変形が可能である。図１乃至図８を用いて上記各実施形態に示した構成及び処理は、本発明の一実施形態に過ぎず、本発明の構成及び処理はこれに限定されるものではない。
【符号の説明】
【００７７】
１        複合機
１００    制御ユニット
１０１    制御部
１０２    受信許否判定部
１０３    判定設定部
１０４    解像度検出部
１０５    プレビュー画像作成部
１０６    操作指示受付部
１２０    メモリー
１２０１  アドレス帳
１３０    画像形成部
１４０    ファクシミリ通信部
１５０    表示部
４７３    表示部
【図１】
2015207845.tif 000003
【図２】
2015207845.tif 000004
【図３】
2015207845.tif 000005
【図４】
2015207845.tif 000006
【図５】
2015207845.tif 000007
【図６】
2015207845.tif 000008
【図７】
2015207845.tif 000009
【図８】
2015207845.tif 000010